(57)【特許請求の範囲】
【請求項１】
コンクリート躯体の穿設穴内に挿入される定着用筒体部の軸心周りの鞘穴部が、その奥部に傾斜内壁部を有する形状に形成されると共に、該傾斜内壁部を含む定着用筒体部先端側適宜範囲までを先端外側から軸心を通る位置で半裁状または四分割状となし、定着用筒体部先端側所定範囲部分に、軸心を通る同一面内に収まる２本または４本の切り目部が形成されたものとする一方、定着用筒体部の鞘穴部入り口側には、雌ネジ切りされた螺合空間部を有するネジ受け体部が同心状に一体成形されて金具本体とした上、先端が前記鞘穴部の傾斜内壁部に当接、擦動可能な形状とされ、且つ当該傾斜内壁部の奥行き寸法以上の長さに形成された丸棒状の作用ピンを、金具本体のネジ受け体部側から定着用筒体部鞘穴部内先端まで挿入、装着すると共に、ネジ受け体部の螺合空間部直径よりもやや大きめのバランスした輪郭からなる薄片で、その輪郭からバランスさせた内側に、作用ピン直径よりも大きめとした平面形円形の薄肉部を設けてなる押蓋片を、アンカー本体軸心に略直交状姿勢として同ネジ受け体部の螺合空間部内の先の作用ピン末端位置まで挿入し、その過程で薄肉部を案内として挿入方向と反対側に屈曲した輪郭側部分を、ラチェットのツメの如く螺合空間部雌ネジに噛合状となすことにより、作用ピン末端を、アンカー本体ネジ受け体部の螺合空間部内所定位置に掛止状としたことを特徴とするコンクリート用アンカー金具。
【請求項２】
押蓋片が、その薄肉部よりも内側となる部分に、押込み操作孔の形成されてなるものとした、請求項１記載のコンクリート用アンカー金具。
【発明の詳細な説明】
【０００１】
【発明の目的】
この発明は、コンクリート躯体表面適所に後から固定用雌ネジ部を形成する際に使用されるコンクリート用金具に関し、特に、コンクリート躯体穿設穴において定着用筒体部を拡張させる機能を果たす作用ピンが、定着用筒体部の鞘穴部内に安定して挿入、装着されるようにする、新規な構造からなるコンクリート用アンカー金具を提供しようとするものである。
【０００２】
【従来の技術】
驚異的な経済的発展を続けてきた我が国も、様々な要因で陰りを来し始めたことから、一頃の壊しては建てる使い捨て式の建設ラッシュも見られなくなり、耐用年数の長いコンクリート構造物の場合には、これまでのように、相当期間耐用年数を残しながら簡単に取り壊してしまうといった無駄な現象にも歯止めが掛かり、今後は、その躯体構造部分をそのまま生かし、陳腐化した設備構造や造作部分だけを適切な時期を見計らって交換、改修し、できるだけ経済的な負担を軽減化していく傾向が現われてくるものと予想される。
【０００３】
また、そうした傾向とは別に、内需拡大政策やより快適な生活空間の実現を狙いとした計画的な各種構造物の建設は、将来に向けて欠かせない施策として重要視されていて、それらの目的に適った新構造物の建設は、増加することはあっても決して減少することはないと思われ、それら今後企画化されていく新構造物では、耐用年数が限られる設備構造部分や、生活スタイルや社会的要請等の変化に左右される内外造作部分については、コンクリート躯体部分から簡単に撤去、交換できるようにした工夫が取り入れられていくものと予想される。
【０００４】
コンクリート構造物における各種資材の取着、撤去の手段としては、予めその取り付け位置が決定されていて変更の予定がない場合、鋳物製インサートや鉄製インサート等の各種インサート金具が、コンクリート型枠面に仮着され、コンクリート打設、硬化後、型枠を取り外したコンクリート表面に、それらインサート金具の取着部が露出状となることから、予定してある所定の連結金具を螺合または嵌合することによって確実に予定した各種資材を固定することができる。
【０００５】
しかし、前記したような、既存コンクリート構造物を改修使用しようとする場合や、今後の変更を事前に予測したコンクリート構造物、あるいは突如として新たな目的を生じたコンクリート構造物等へ各種資材を固定する場合等には、下地が木造等の場合と違い、釘やビス等によって簡単に固定することができないため、コンクリート下地に適合する特別な後付け手段が必要となる。
【０００６】
このコンクリート下地へ各種資材を後付けするための最も一般的な手段として、所望する位置に専用ドリルで所定深さ、径の縦穴を穿設した上、拡張栓構造を有するコンクリートアンカーを挿入し、作用ピンを打ち込んで拡張栓構造部分を強制的に縦穴奥部で押し広げてコンクリート内に食い込ませ、逆楔構造にして当該アンカーをコンクリート所定箇所に固定し、そのネジ切り部分に別体の雄ネジまたは雄ネジつき金具等を螺合して吊り下げたり、固定するようにしたものであった。
【０００７】
この従前からのコンクリートアンカー、特に雌ネジ側をコンクリート躯体Ｃ側に後から定着させるようにしたタイプのアンカーＡは、雌ネジ切りした筒状金具体ａ１の先端側（雌ネジ切りした側と反対側）に、軸心を通る面で十字状に切り目ａ２，ａ２，……を入れ、同側を四分割状にすると共に、当該四分割された側の開口部に楔駒ａ３を装着した、図１０に示すとおりの構造からなるものが主流であり、専用ドリルで穿設したコンクリート躯体Ｃ側の縦穴ｃ１に、当該アンカーＡを楔駒ａ３側から差し込み、コンクリート躯体Ｃ表面から突出状としたアンカーＡの頭、即ち雌ネジ切りした側の筒状金具本体ａ１の端部をハンマー等で強く叩き、筒状金具本体ａ１を押し込むようにすることにより、相対的に縦穴ｃ１奥部に支持された楔駒ａ３が、筒状金具本体ａ１内に押し入ることとなって、筒状金具本体ａ１の四分割された部分を強制的に押し広げ、縦穴ｃ１内で同筒状金具本体ａ１の四分割された側に、図１１縦断面図に示すとおりの逆楔構造を実現し、コンクリートアンカーＡをコンクリート躯体Ｃ所望箇所に定着するようにしたものであった。
【０００８】
しかし、この従前から広く採用されてきたコンクリートアンカーＡの場合、コンクリート躯体Ｃ側へ穿設する縦穴ｃ１の深さの違いにより、コンクリート躯体Ｃ表面からのアンカーＡ筒状金具本体ａ１の突出程度が変わってしまう（場合によっては縦穴ｃ１の中に隠れてしまう）虞があることと、何よりも縦穴ｃ１を最適な深さにしないと楔駒ａ３の入り込み具合に差が出てしまい、深すぎた場合には縦穴ｃ１内の筒状金具本体ａ１の逆楔構造が不完全なものとなって十分な定着強度が得られなくなり、資材取り付け後に抜け出して不測の事態を招いてしまうことにもなり兼ねないという問題が生じたり、逆に、浅すぎて、筒状金具本体ａ１の端部をコンクリート躯体Ｃ表面に揃えようとしてハンマー等で強く叩きすぎ、雌ネジ切りした端部を変形させて爾後の雄ネジの螺合操作に支障を来すこととなったり、その過程で楔駒ａ３が縦穴奥部のコンクリートを破壊し、コンクリート粉塵が筒状金具本体ａ１の中空部を通じて零れ出し、作業環境を悪くしてしまう等といった弊害を伴う外、アンカー製造過程で楔駒ａ３の筒状金具本体ａ１への仮着の繁雑さや、流通段階等での楔駒ａ３の脱落、紛失等といった厄介な問題も抱えるものとなっていた。
【０００９】
この発明は、上記したような従前からのコンクリートアンカーの状況に鑑み、コンクリート躯体所望箇所への縦穴の穿設は、浅くならない限りその深さに神経質になる必要がないこと、施工段階で粉塵等の散逸を極力防止できること、アンカー製造工程がなるべく簡素化できること、楔駒の脱落、紛失等による金具としての無駄を生じさせないこと等々、従前からの諸問題を課題に掲げ、それら全てを解消できるアンカーの実現化を目指し、鋭意開発、研究を継続してきた結果、茲にきて遂に所期の目的を達成可能とする新規な構造のコンクリート用アンカー金具を完成し、その実用化についても目度が立つところにまで至ったものであり、以下では、代表的な実施例を例示しながら、この発明のコンクリート用アンカー金具の構成が十分に把握できるように詳細な説明を加えていくこととする。
【００１０】
【発明の構成】
図面に示す実施例からも容易に理解されるように、この発明のコンクリート用アンカー金具は、基本的に次のような構成から成り立っている。
即ち、コンクリート躯体の穿設穴内に挿入される定着用筒体部の軸心周りの鞘穴部が、その奥部に傾斜内壁部を有する形状に形成されると共に、該傾斜内壁部を含む定着用筒体部先端側適宜範囲までを先端外側から軸心を通る位置で半裁状または四分割状となし、定着用筒体部先端側所定範囲部分に、軸心を通る同一面内に収まる２本または４本の切り目部が形成されたものとする一方、定着用筒体部の鞘穴部入り口側には、雌ネジ切りされた螺合空間部を有するネジ受け体部が同心状に一体成形されて金具本体とした上、先端が前記鞘穴部の傾斜内壁部に当接、擦動可能な形状とされ、且つ当該傾斜内壁部の奥行き寸法以上の長さに形成された丸棒状の作用ピンを、金具本体のネジ受け体部側から定着用筒体部鞘穴部内先端まで挿入、装着すると共に、ネジ受け体部の螺合空間部直径よりもやや大きめのバランスした輪郭からなる薄片で、その輪郭からバランスさせた内側に、作用ピン直径よりも大きめとした平面形円形の薄肉部を設けてなる押蓋片を、アンカー本体軸心に略直交状姿勢として同ネジ受け体部の螺合空間部内の先の作用ピン末端位置まで挿入し、その過程で薄肉部を案内として挿入方向と反対側に屈曲した輪郭側部分を、ラチェットのツメの如く螺合空間部雌ネジに噛合状となすことにより、作用ピン末端を、アンカー本体ネジ受け体部の螺合空間部内所定位置に掛止状としたコンクリート用アンカー金具である。
【００１１】
金具本体は、ネジ受け体部と定着用筒体部とからなり、夫々鋼材（場合によっては、鋼材に匹敵する性状の工業用プラスチック等の使用も考えられる。）によって一体成型されるものであり、ネジ受け体部側は、コンクリート躯体表面から突出状となって固定用ネジや吊り下げ用ボルト等を螺合する機能を果たす部分となり、その開口端部側から螺合空間部内周壁に雌ネジ切り加工した上、固定用ネジや吊り下げ用ボルト等を螺合、支持するに足るだけの十分な肉厚構造を有したものに形成される。
【００１２】
一方、定着用筒体部は、上記ネジ受け体部の後端側（ネジ切りした開口端部と反対側の端部）に一体的に連なっており、コンクリート躯体内に埋入状となって所定の定着強度が得られるよう機能する部分であり、ネジ受け体部外径よりも小さい外径で、所定長、即ちアンカー金具として使用され、コンクリート躯体の縦穴内で逆楔構造（穴の奥の方で広がって周壁に食い込み状となり、抜け出しを阻止するようにした構造）を実現すると共に、先端側外側面に形成した滑り止め加工部が縦穴部分のコンクリートとの摩擦抵抗を高め、所定の定着強度が得られるようにする上で必要な長さとした筒状、または袋構造（上記ネジ受け体部に連設した側と反対側の端部を閉鎖した構造）に形成されると共に、その内部軸心周りの鞘穴部は、入り口側で前記ネジ受け体部の螺合空間部に連通してなるものに形成される。
【００１３】
さらに、この定着用筒体部は、その鞘穴部の末端側の穴形状が円錐形（奥にいくに従って尖っていく形状）とされて傾斜内壁部に形成された上、該傾斜内壁部を含む適宜範囲までを先端（筒状の場合）または底部（袋構造の場合）外側から軸心を通る位置で半裁状または四分割状となし、底部および／または筒部末端側所定範囲部分に、軸心を通る同一面内に収まる切り目部が２個まはた４個形成されたものとされ、したがって、この切り目部を通じ、鞘穴部の空間は、その筒部末端側所定範囲部分も外方に通じた状態となる。
【００１４】
なお、定着用筒体部の筒部末端側所定範囲部分内の外表面は、逆楔構造を実現してコンクリートに強く押し当てられたときのコンクリート面との間の摩擦抵抗を高めて定着強度が少しでも増強されるよう、溝あるいは突起等の凹凸形状からなる適宜滑り止め加工部に形成してなるものとする。
こうして形成される金具本体は、定着用筒体部と、前記したネジ受け体部との境界部分に段差が形成され、定着用筒体部だけが挿入できる縦穴とすることにより、同段差部分が支持肩部となってコンクリート躯体表面に当接状となり、後述する作用ピンの打ち込みに際し、その打ち込み外力を支持する機能を果たすこととなる。
【００１５】
作用ピンは、上記した金具本体定着用筒体部の鞘穴部内において強制的に押し込まれることにより、その先端で、切り目の入った定着用筒体部末端側を拡開させ、その部分で縦穴内に逆楔構造を実現する機能を果たすものであり、その主要部分が、上記した金具本体定着用筒体部の鞘穴部内に挿入可能な細丸棒状、望ましくは、鞘穴部内周壁に略内接状となる細丸棒状で、先端が円錐形の楔作用部に形成されると共に、該楔作用部を除いた丸棒状部分の長さを定着用筒体部鞘穴部全長以上のものとされ、その先端側から前記金具本体の鞘穴部内に挿入、装着した状態で組み合わされる。
【００１６】
その結果、この状態で金具本体に組み合わされた作用ピンは、その末端、即ち楔作用部と反対側の端部側は、定着用筒体部鞘穴部から食み出して一部ネジ受け体部の螺合空間部側に突出状となっており、該作用ピン末端を、金具本体ネジ受け体部の螺合空間部雌ネジに係合状とした押蓋片で掛止することにより、作用ピンの金具本体からの抜け落ちが確実に阻止されるようにすると共に、作用ピン打込み作業時のコンクリート粉塵の螺合空間部からの散逸を防止する機能を果たすものとする。
【００１７】
押蓋片は、プラスチック薄板やアルミ箔、紙等適宜素材の薄板を、金具本体ネジ受け体部の螺合空間部直径よりもやや大きめの円形、多角形、星型、花びら状等、平面形としてバランス輪郭形状のものに裁断して形成されると共に、該輪郭から所定範囲内側で、中心からバランスした位置に、先の作用ピン直径よりも大きい平面形円形状となるようにした薄肉部を刻設したものに形成し、上記のとおり、作用ピンを金具本体に挿入、装着後、ネジ受け体部螺合空間部の入り口側から軸心に直交状となるようにして押し込み操作することにより、その過程で薄肉部から外側の輪郭側部分全体が、自然に押し込み操作方向と反対側に屈曲され、輪郭部の全体または要所要所をネジ受け体部の螺合空間部雌ネジの凹凸形状に当接状とされながら押し込まれていき、最終的に中央部分が作用ピン末端に当接する位置に押し込まれた状態で、螺合空間部雌ネジの凹凸形状に当接状となっている押蓋片周縁が、螺合空間部雌ネジに係合状（即ち、ラチェットのツメの如く、逆方向への移動を阻止された状態）となって自らの位置を螺合空間部内に仮着状となり、結果として作用ピン末端を支持するようにするものである。
【００１８】
なお、この押蓋片が、金具本体軸心に直交状とした姿勢での螺合空間部内への押込み操作を容易にするため、その中央部分に押込み操作孔を形成しておけば、該押込み操作孔に治具を嵌合状とした上、当該嵌合部分を軸心に合わせて押し込むように操作する簡単な作業で確実に目的を達成できるものとなることから極めて好都合のものとすることができる。
以下、この発明のコンクリートアンカーの構成が、より明確に把握できるよう、この発明を代表する実施例について具体的にその構造を説明にしてみることとする。
【００１９】
【実施例】
図１の分解斜視図、図２の金具本体だけによる縦断面図、図３の全体縦断面図に示すコンクリートアンカーは、この発明の構成からなる最も代表的な構造のものであり、コンクリート構造躯体の軒天井吊りや、配線・配管工事、スプリンクラー取り付け、天井装置クーラー取り付け等といった工事に汎用されるネジ径３／８インチのボルトまたは吊りボルトを螺合可能とするコンクリートアンカーについて説明すると、先ず、金具本体１は、外径が１２mmで長さが２３mmとされたネジ受け体部２に、外径が７．１mmで長さを３５mmとした定着用筒体部３が一体成型されてなる全長５８mmの鋼材製であり、定着用筒体部３の末端側約１２mm程度の範囲に渡って外周面には、螺旋溝による滑り止め加工部３６が形成されると共に、ネジ受け体部２と定着用筒体部３との境界部分には、その全周に渡って約２．５mm程度の支持肩部４が形成されてなる構造となっている。
【００２０】
ネジ受け体部２は、図２の縦断面図が示すとおり、その開口側からφ８．５mm程度の螺合空間部２１の奥に向かって約１４mmに至る範囲に渡り、ネジ切り加工されて雌ネジ部２２とされる一方、定着用筒体部３は、筒部３１と底部３２とからなる袋構造とされ、その内部には、前記ネジ受け体部２の螺合空間部２１に通じる鞘穴部３３が，奥部（底部３２の内側）に約１０mm程度残した辺り（螺合空間部２１の奥から約２５mm程度のところ）まで穴径約３．５mm程度のものとして穿設され、その奥部約８mm程度の範囲に傾斜内壁部３４が設けられると共に、底部３２外側中央から軸心に従って約１５mm長の深さで半裁状とすることにより、軸心を通る同一面内に収まる切り目部３５の形成されたものとする。
【００２１】
作用ピン５は、図１の分解斜視図の中に見られるとおり、前記鞘穴部３３内に略内接状に挿入可能な外径約３．３mm前後の太さで、全長が約４６mm程度の細丸鋼棒で、先端側約８mm程度の範囲が、先の鞘穴部３３奥部の傾斜内壁部３４の傾斜に合わせた角度か、それよりもやや大きめの角度の円錘形に削り取られて楔作用部５１に形成された構造としてあり、その先端側、即ち楔作用部５１形成側からネジ受け体部２の螺合空間部２１を通じ、鞘穴部３３の奥部まで挿入、装着する。
【００２２】
その後、図３の中央縦断面図、および図４の同要部拡大中央縦断面図のようにして作用ピン５の頭部（先の楔作用部５１の形成された端部と反対側の端部）に当接して該作用ピン５を鞘穴部３３内に所定どおりに収められた状態を保持する機能を果たす押蓋片６は、図５の斜視図に示すとおり、前記ネジ受け体部２の螺合空間部２１に挿入状とされ、周縁を同雌ネジ部２２に支持されるようにするため、螺合空間部２１の直径８．５mmよりもやや大きいφ１０mm程度の外周縁となる円形状のもの形成されると共に、外周縁よりやや内側で、作用ピン４の太さ、即ち３．３mmよりも大きい約φ７mm程度の平面形円形となる薄肉部６１が、同心状に刻設され、しかも、その中央には、作用ピン４の太さ、即ち３．３mmよりも小さい径の約φ２．５mm程度とした押込み操作孔６２を設け、該押蓋片６の螺合空間部２１内への挿入作業をし易くするようにしてある。
なお、この実施例では、薄膜片６の輪郭を円形としたが、全体輪郭がバランスするものであれば、四角形等の多角形状や星型、花びら状、あるいは全周にギザギザを付けた形状のもの等とすることもできる。
【００２３】
【作  用】
以上のとおりの構成からなるこの発明のコンクリートアンカーは、図７のようにして、先ず、コンクリート躯体Ｃの所望する箇所に、専用ドリルＤで金具本体１の定着用筒体部３が挿入可能な、最小ドリル径７．５mmで３５mm以上、例えば４０mmあるいはそれ以上の深さの縦穴ｃ１を穿設した後、定着用筒体部３から挿入した上、図８の断面図が示すように、所定の打込み治具Ｔを差し込んで、その先端を薄膜片６越しに作用ピン５の頭部に当接状となし、図示しないハンマー等で該治具Ｔを強打する。
【００２４】
すると、その衝撃で金具本体１全体が強く縦穴ｃ１の奥に向けた力を受けるが、ネジ受け体部２と定着用筒体部３との境界部分に形成された支持肩部４が、縦穴ｃ１の入り口部分のコンクリート躯体Ｃ表面に支持される結果、縦穴ｃ１の奥に向けた力は、打込み治具Ｔを通してそのまま薄膜片６越しに作用ピン５の頭部に衝撃となって伝えられ、作用ピン５だけを押し込む作用を果たすこととなって、作用ピン５先端の楔作用部５１が、定着用筒体部３鞘穴部３３の傾斜内壁部３４に沿って強制的に前進させられ、先端が切り目部３５に割って入る楔作用を果たし、その作用で、半裁された定着用筒体部３の先端側が強制的に左右に押し広げられ、同所の外側面が縦穴ｃ１の内周面に食い込むような変形を起こし、図９の断面図のとおり、縦穴ｃ１内で逆楔構造を実現した上、定着用筒体部３先端外側面の滑り止め加工部３６が縦穴ｃ１との摩擦抵抗を高めるよう作用する状態となって、この発明のコンクリートアンカーのコンクリート躯体Ｃ所望箇所への定着が完了する。
その後、取り付けるべき資材の固定用ボルトや吊りボルト７を、ネジ受け体部２螺合空間部２１にネジ切りされた雌ネジ部２２に螺合操作することにより、安定した固定状態を実現する。
【００２５】
この逆楔構造を縦穴ｃ１内に実現する施工過程で、作用ピン５が仮令鉛直姿勢となっても、押蓋片６でその頭部が確実に支持され、抜け落ちてきて作業に支障を来すことはなく、また、この押蓋片６は、図５中の矢印のような方向に押し込まれることにより、同薄肉部６１よりも外側の外周縁側が、図６のように、矢印とは逆の方向に自然に屈曲され、図４の要部拡大中央縦断面図の中に示されているように、その周縁を雌ネジ部２２に当接状としてラチェットの爪のような係止構造を実現しながら、打込み治具Ｔの前進に伴って更に螺合空間部２１の奥へと移動し、その水平状態を維持し続けて螺合空間部２１を完全に閉鎖状とする作用を果たすことと、縦穴ｃ１の入り口は支持肩部４が密着状となって閉鎖状とすることとの二つの作用で、逆楔構造形成過程で発生する縦穴ｃ１内の粉塵は、その外部への散逸を極力阻止されることとなる。
【００２６】
また、薄膜片６に予め設けてある押込み操作孔６２は、この発明のコンクリートアンカー製造過程において、その押込み操作孔６２に嵌合する先端形状の特別な治具を用意するだけで姿勢の制御をし易くする作用を果たすと共に、何等かの理由で姿勢が正しく収められなかった場合の交換操作でも、尖った工具を差し込んでの除去を可能にする部分として役立ち、製造効率を高めることに寄与する部分となる。
【００２７】
【効  果】
以上のとおりの構成からなるこの発明のコンクリートアンカーは、金具本体が、ネジ受け体部と定着用筒体部との境界部分に支持肩部が形成された構造とされていて、定着用筒体部の長さよりも浅くならない限り、コンクリート躯体所望箇所への縦穴の深さを気にしない穿設作業の実施が可能となる上、縦穴内部ではなく、コンクリート躯体表面を支持部とした逆楔構造の実現が可能であって、縦穴内での粉塵の発生を極力押さえ得ると共に、縦穴の入り口を閉鎖状とした施工となり、しかもネジ受け体部螺合空間部を押蓋片が閉鎖状とする構成も加わって、作業中のコンクリート粉塵の散逸が可能な限り防止できることになることから、作業効率を高める上で極めて秀れた特徴を発揮するものとなっている。
【００２８】
また、定着用筒体部鞘穴部の傾斜内壁部に対し、作用ピン先端の楔作用部の傾斜角度がそれに略合致するか、やや大きめの角度の円錘形状とされていて、鞘穴部奥の傾斜内壁部の傾斜角度に誘導された円滑な割り込みが保証され、比較的軽い打撃操作で逆楔構造の実現が可能となる上、滑り止め加工部が縦穴との摩擦抵抗を高めて確実な定着強度が得られること、天井スラブ等への作業のように下向き鉛直姿勢とされても、決して作用ピンの脱落、紛失を来してしまうことのない確実な仮着構造とされていること等の構成も、上記した作業効率を高める上で大いに役立つことになるという特徴も兼ね備えている上、アンカー製造工程において楔駒を打ち込み、固定するという繁雑な工程を必要とせず、押蓋片の装着だけで簡単、確実な作用ピンの抜け出しを阻止したアンカーの製造が可能となり、その後の商品としての取扱い段階においても作用ピンの抜け落ち、紛失を確実に防止することができるという利点もあり、また、押し蓋片には、予め押込み操作孔が設けられていて、姿勢の制御をしながらのネジ受け体部螺合空間部への装着作業を極めて簡便なものとすることもできるという効果を期待でき、したがって、その実用性に加え、製造上、製品取扱い上からも秀れたものとなっている。
【００２９】
特に実施例として示したものでは、各種資材をコンクリート躯体Ｃ表面所望箇所に後付けする作業として、最も汎用されているサイズのボルトあるいは吊下げボルト用のコンクリートアンカーとして略理想的な構造に形成されていると共に、押蓋片６の薄肉部６１も、リング状の押し当て金型で簡単に刻設、形成できる最も簡潔な構造のものとして形成されている上、作用ピン５の仮着状態の確実な持続と、螺合空間部２１の確実な閉鎖状態の実現とを可能にするものとなっており、コンクリート地肌が直接露になった一般的なコンクリート構造物用の金具としては勿論のこと、デッキプレートを使ったコンクリート地肌が直接現れないスラブ構造等への金具としても、連結すべきボルトや吊下げボルトの径に比較し、定着用筒体部３が細いことから、金属板を通したコンクリート躯体Ｃへの縦穴穿設作業が比較的簡単に実施できることになるという、これまでのものには期待できない秀れた効果が得られるものとなる。
【００３０】
叙述の如く、この発明のコンクリートアンカーは、その特徴ある構成から所期の目的を遍く達成可能とするものであり、各種業界がそうであるように、厳しい経済環境の中で益々効率的な作業が求められる建設業においても、様々な部分での改善が求められており、特に快適な環境を実現するための各種資材の取付け、交換を容易にする固着、連結手段の一つとして、その構造強度の信頼性はもとよりのこと、実用性、経済性の面からも高い評価がなされ、広く採用、普及していくものになると予想される。
【図面の簡単な説明】
図面は、この発明を代表する１実施例を示したものである。
【図  １】この発明のコンクリートアンカーの分解斜視図である。
【図  ２】同金具本体だけの縦断面図である。
【図  ３】全体を組み合わせた状態の縦断面図である。
【図  ４】同要部拡大中央縦断面図である。
【図  ５】金具本体に挿入、装着される押蓋片の拡大斜視図である。
【図  ６】同押蓋片の金具本体に挿入、装着された段階での変形状態を示す拡大斜視図である。
【図７〜９】作業工程の代表的な過程を示す縦断面図である。
【図  １０】従前のコンクリートアンカーの側面図である。。
【図  １１】同定着状態を示す縦断面図である。
【符号の説明】
１            金具本体
２            ネジ受け体部
２１          同  螺合空間部
２２          同  雌ネジ部
３            定着用筒体部
３１          同  底部
３２          同  筒部
３３          同  鞘穴部
３４          同  傾斜内壁部
３５          同  切り目部
３６          同  滑り止め加工部
４            支持肩部
５            作用ピン
５１          同  楔作用部
６            押蓋片
６１          同  薄肉部
６２          同  押込み操作孔
７            吊下げボルト
Ａ            従前のコンクリートアンカー
ａ１          同  筒状金具体
ａ２          同  切り目
ａ３          同  楔駒
Ｃ            コンクリート躯体
ｃ１          同  縦穴
Ｄ            専用ドリル
Ｔ            打込み治具
【図１】
0003844593.tif 000002
【図２】
0003844593.tif 000003
【図３】
0003844593.tif 000004
【図４】
0003844593.tif 000005
【図５】
0003844593.tif 000006
【図６】
0003844593.tif 000007
【図７】
0003844593.tif 000008
【図８】
0003844593.tif 000009
【図９】
0003844593.tif 000010
【図１０】
0003844593.tif 000011
【図１１】
0003844593.tif 000012